(57)【要約】【課題】異種の遊技媒体に交換するために、遊技媒体の貸し出しの対価として遊技媒体を投入する事が可能な遊技媒体交換機を提供する。【解決手段】投入遊技媒体の種類を選別し計数する手段と、遊技媒体を払い出す手段と、遊技客が貸し出しを受けたい遊技媒体の種類と数量を指定する操作スイッチ群と、遊技媒体の種類ごとに異なるレートを設定するレート設定手段と、算出手段および制御部と、入力および出力端子とを備えた。【選択図】    図１
2004236866.tif 000002
【特許請求の範囲】
【請求項１】
投入遊技媒体の種類と数量と、遊技媒体の種類ごとに予め設定されたレートと、指定された払い出し遊技媒体の種類の入力とに基づき換算を行った数量の遊技媒体の払い出しを行う事を特徴とする遊技媒体交換機。
【請求項２】
請求項１記載の遊技媒体交換機であって、投入遊技媒体と払い出し遊技媒体のいずれかまたは両方の遊技媒体の種類を限定した事を特徴とする遊技媒体交換機。
【請求項３】
請求項１または請求項２記載の遊技媒体交換機であって、投入遊技媒体の中から適正な遊技媒体のみを選別し計数する選別手段を備えた事を特徴とする遊技媒体交換機。
【請求項４】
請求項１または請求項２記載の遊技媒体交換機であって、遊技媒体の計数を外部の遊技媒体計数手段で行うための手段を備えた事を特徴とする遊技媒体交換機。
【請求項５】
請求項１または請求項２記載の遊技媒体交換機であって、遊技媒体の払い出しを外部の遊技媒体払い出し手段で行うための手段を備えた事を特徴とする遊技媒体交換機。
【請求項６】
遊技媒体の情報を外部から得る手段または外部へ取り出す手段を備えた事を特徴とする遊技媒体交換機。
【発明の詳細な説明】
【０００１】
【発明の属する技術分野】
本発明は、遊技場で使用する遊技媒体貸出機に関し、特に遊技媒体の貸し出しの対価として遊技媒体が投入できるようにした結果、異種の遊技媒体の交換を容易にした遊技媒体交換機に関する。
【０００２】
【従来の技術】
遊技場での遊技方法は、遊技客が現金またはプリペイドカードを遊技媒体貸出機に投入し支払って遊技媒体の貸し出しを受け、それを遊技機に投入し遊技を行い、大当たりが出ると獲得した遊技媒体を景品に交換し、それを遊技場外の換金所で換金し現金を得る。
【０００３】
遊技媒体として、パチンコ遊技機にはパチンコ玉のみが使用でき、スロット遊技機にはコインのみが使用できる。従って、パチンコ遊技を行っていた遊技客がスロット遊技に移行する場合、遊技客が所持しているパチンコ玉はスロット遊技機に使用できないし、その逆の場合もコインはパチンコ遊技機に使用できない。
【０００４】
スロット遊技機用のコインは、直径がφ２５とφ３０の２種類が存在するが、スロット遊技機の仕様によっていずれか１種類しか使用できないのが普通である。たとえばスロット遊技を行っていた遊技客が、使用していたコインを異なる直径のコイン仕様のスロット遊技機に投入して遊技を行おうとしても、コインの直径が異なるから使用できない。
【０００５】
遊技場で使用されている遊技媒体貸出機は、遊技媒体の貸し出しの対価としての現金またはプリペイドカードを遊技客が投入すると、所定のレートで換算した数量の遊技媒体を払い出し遊技客に貸し出す機能を有しているが、遊技媒体の貸し出しの対価として遊技媒体を投入する事はできない。
【０００６】
以上述べたように異種の遊技媒体の互換性は無いから、遊技客は遊技媒体を景品に交換し、遊技場外の距離の離れた換金所へ出向き景品を換金して、再び遊技場に戻り、現金または現金でプリペイドカードを購入し遊技媒体貸出機に投入し別種の遊技媒体の貸し出しを受けなければならず手間と時間を要していた。
【０００７】
【発明が解決しようとする課題】
本発明は、上記従来の問題点を解決するためになされたものであって、その目的とするところは、異種の遊技媒体の交換を容易にする事であり、そのために遊技媒体が投入可能とした遊技媒体貸出機である遊技媒体交換機を提供する。
【０００８】
一般に遊技媒体のレートは貸し出し時と景品交換時とで異なる。また、遊技媒体の種類によってもレートは異なるのが普通であるから、ある遊技媒体を異種の遊技媒体に交換するには換算が必要となる。
【０００９】
遊技媒体の景品交換時のレートは遊技場によって異なる場合があるから、遊技媒体が投入可能な遊技媒体交換機はそれが任意に設定できる必要がある。
【００１０】
【課題を解決するための手段】
本発明は上記課題を解決するために、遊技客が投入した遊技媒体の種類と数量を計数し、遊技媒体の種類ごとに予め設定されたレートと、遊技客が払い出しを指定した遊技媒体の種類と数量の入力とに基づき換算を行った数量の遊技媒体の払い出しを行うように構成される。遊技媒体選別手段、計数手段、貯蔵手段、払い出し手段は、使用する遊技媒体に対応したものを備える。
【００１１】
さらに上記の機能をより的確に発揮させるために、前記計数に先立ち、投入された遊技媒体の中から適正なものを選別する選別手段を備える事ができる。
【００１２】
また遊技媒体の計数は外部の遊技媒体計数手段で行うように入力手段を備える事ができる。そして遊技媒体の払い出しを、外部の遊技媒体払い出し手段で行うように出力手段を備える事ができる。
【００１３】
【実施例】
以下、本発明の実施例を図面を用いて説明する。図１は本発明を用いた遊技媒体交換機の実施例の構成を示すブロック図である。この遊技媒体交換機はひとつの筐体（図示せず）に組み込まれ、電源入力用の電源差し込みプラグ２２が電源線（電源コード）２５にて外部に適宜長さ延長されている。電源部２１は各構成要素を適切に作動させるために必要な電源電圧及び電流を供給する。
【００１４】
また、外部の遊技媒体計数手段から計数情報を得る手段として外部入力端子２６を、外部の遊技媒体払い出し手段に払い出しを指令するための手段として外部出力端子２７を備えており、さらに遊技場管理コンピュータへの出力として売上信号出力端子２８と計数信号出力端子２９とを備えている。
【００１５】
この実施例では投入遊技媒体１および払い出し遊技媒体１５をパチンコ玉、コインφ２５、コインφ３０の３種類とする。遊技客が投入遊技媒体１を遊技媒体投入口２に投入すると、遊技媒体選別手段３により適正な遊技媒体を選別し、不適正な遊技媒体は不適正遊技媒体経路４を通り遊技媒体返却口２３に返却遊技媒体２４として排出される。適正な遊技媒体は、さらに遊技媒体選別手段３により遊技媒体の形状または寸法、そして重量または磁性等により種類ごとに分類され遊技媒体の計数手段５、６、７へそれぞれ移動する。
【００１６】
パチンコ玉がパチンコ玉計数手段５を通過すると計数信号が発生し算出手段１７にパチンコ玉の数量が記憶され、パチンコ玉はパチンコ玉貯蔵手段８に貯蔵される。
【００１７】
コインφ２５がコインφ２５計数手段６を通過すると計数信号が発生し算出手段１７にコインφ２５の数量が記憶され、コインφ２５はコインφ２５貯蔵手段９に貯蔵される。
【００１８】
コインφ３０がコインφ３０計数手段７を通過すると計数信号が発生し算出手段１７にコインφ３０の数量が記憶され、コインφ３０はコインφ３０貯蔵手段１０に貯蔵される。
【００１９】
レート設定手段１６は、遊技媒体の種類ごとの単価であるレートを設定する手段であって、ひとつの実施例としてはロータリースイッチで数値を設定する。なおレートは任意に設定できるから、たとえば遊技媒体の交換の手数料として遊技場の取り分を引いた数値に設定する事も可能である。
【００２０】
算出手段１７は計数された遊技媒体の種類と数量を表示部１８に表示し遊技客に確認を促す。遊技客がその表示を確認して、払い出しを受けたい遊技媒体の種類を操作スイッチ群１９により入力すると、算出手段１７は計数された遊技媒体の種類と数量と、遊技客が入力した払い出し遊技媒体の種類と、レート設定手段１６による遊技媒体の種類ごとのレートとに基づき換算した払い出し可能な数量を表示部１８に表示する。遊技客は、この表示により貸し出しを受けられる遊技媒体の数量の上限を知る事ができるから、操作スイッチ群１９の操作により払い出しを指示する。ここで投入遊技媒体の全数量ではなく一部数量を交換したい場合、遊技客は払い出しの指示を行う前に操作スイッチ群１９を操作し数量を指定する事もできる。
【００２１】
払い出し可能な遊技媒体の数量及び余り遊技媒体の数量は算出手段１７により算出する。例として投入遊技媒体１はパチンコ玉、払い出し遊技媒体１５はコインとする。パチンコ玉のレートは１個で２．５円、そしてコインは１枚で２０円とレート設定手段１６に設定されていて、投入遊技媒体１としてパチンコ玉が４２個投入された場合、計数して金額に換算すると４２個×２．５円で１０５円となる。払い出し遊技媒体１５の数量は、前記の換算金額をコインのレートで割るから１０５円÷２０円で商は５、余りは５となる。商は５であるから払い出し遊技媒体１５のコインの数量は５枚となる。余りの５は５円であるから投入遊技媒体であるパチンコ玉の数量に換算すると５円÷２．５円＝２で余り遊技媒体のパチンコ玉の数量は２個となる。
【００２２】
遊技客が払い出しを指示すると、算出した払い出し遊技媒体の種類と数量を算出手段１７から制御部２０に送る。制御部２０は遊技媒体の種類ごとにそれぞれ対応する払い出し手段１１、１２、１３を作動させ払い出し数量分の遊技媒体を遊技媒体払い出し口１４に払い出す。
【００２３】
余り遊技媒体の払い出しは、算出した余り遊技媒体の種類と数量を算出手段１７から制御部２０に送る。制御部２０は遊技媒体の種類ごとにそれぞれ対応する払い出し手段１１、１２、１３を作動させ余り数量分の遊技媒体を遊技媒体払い出し口１４に払い出す。
【００２４】
遊技媒体払い出し口１４は、異種の遊技媒体が混ざらないような仕切りまたは、遊技媒体の種類別に受け皿となる容器等を備えている。
【００２５】
払い出し時、投入遊技媒体の数量のうち別種の遊技媒体に交換した数量を、計数信号出力端子２９から遊技場管理コンピュータへ出力する。これは、遊技客が遊技媒体を景品に交換する際に行う遊技媒体の計数で遊技媒体計数機が出力する計数信号に相当する。さらに、払い出し遊技媒体の数量を売上信号出力端子２８から遊技場管理コンピュータへ出力する。これは、遊技客が現金またはプリペイドカードを遊技媒体貸出機に投入し遊技媒体の貸し出しを受ける際に遊技媒体貸出機が出力する売上信号に相当する。
これらの信号の出力を行う理由は、遊技場管理コンピュータが売り上げや景品交換等の経理処理を行うために必要な情報だからである。経理上、パチンコ遊技機とスロット遊技機の管理は別であり、仮に前述の信号の出力なしで本発明の遊技媒体交換機にパチンコ玉を投入しコインに交換してスロット遊技を行うと、スロット遊技には必ず発生するコインの貸し出し（売り上げ）が無いのにスロット遊技を行う事になる。スロット遊技なのにコインの売り上げが無くパチンコ玉の売り上げが発生するから経理上の矛盾が生じる。
【００２６】
払い出し処理が完了すると、本遊技媒体交換機は初期状態に戻り、次の遊技客の利用を待つ状態となる。
【００２７】
各遊技媒体の貯蔵手段８、９、１０に貯蔵された遊技媒体の残りが少なくなるとその状態を各遊技媒体の貯蔵手段８、９、１０それぞれの内部に設けたスイッチ等の手段で検知し遊技場係員に遊技媒体の補給を促す表示および遊技客に対し利用不可である旨を表示部１８に表示する。あるいは補給要求信号を出力し、遊技場の遊技媒体補給装置に対し遊技媒体の補給を指令し遊技媒体補給装置を作動させ遊技媒体の補給を該当する種類の遊技媒体の貯蔵手段８または９または１０に受けるように構成する事もできる。
【００２８】
以上の説明では３種類の遊技媒体の投入および払い出しに対応する遊技媒体交換機を例としたが、特定の遊技媒体の投入と払い出しの組み合わせに対応するよう限定してもよい。そのようにすれば、遊技媒体選別手段と計数手段と貯蔵手段と払い出し手段は、限定した遊技媒体に対応したもののみを実装すれば良いから遊技媒体交換機の小型化を図る事ができる。
【００２９】
また遊技媒体の交換のスピードを上げるため、最初に操作スイッチ群１９により払い出し遊技媒体を指定しておき、あとは投入遊技媒体１を逐次投入すると同時に換算を行い即時に払い出し遊技媒体１５を払い出していくように構成する事もできる。
【００３０】
たとえば投入遊技媒体はコインに限定し、払い出し遊技媒体はパチンコ玉に限定した遊技媒体交換機の場合、コインのレートは１枚で２０円、パチンコ玉のレートは１個で２．５円とすれば、２０円÷２．５円＝８となりレートは８対１であるから、コイン１枚を投入するごとにパチンコ玉が８個払い出される。
【００３１】
また、投入遊技媒体はパチンコ玉に限定し、払い出し遊技媒体はコインに限定した遊技媒体交換機で、遊技媒体のレートは前記と同じとすれば、パチンコ玉を投入して８個に達するごとにコインが１枚払い出される。
【００３２】
遊技媒体選別手段、計数手段や遊技媒体払い出し手段のいずれかまたは全てを遊技媒体交換機に内蔵せず、外部の遊技媒体計数手段や、遊技媒体払い出し手段と連携して機能する事もできる。たとえば外部の遊技媒体計数手段とは外部入力端子２６により接続し、遊技客が外部の遊技媒体計数手段に遊技媒体を投入し計数するとその計数情報を入力し投入遊技媒体の数量を得る。そして外部の遊技媒体払い出し手段との接続は外部出力端子２７により払い出し指令を出力し外部に接続した遊技媒体払い出し手段を作動させ遊技媒体を払い出す。
【００３３】
遊技媒体と、カード等の記録媒体に記録された遊技媒体の情報とを相互に交換するように構成する事もできる。たとえば本発明の遊技媒体交換機にカード読み取り手段を備えれば、投入遊技媒体の計数を外部の遊技媒体計数手段で行いその情報をカードに記録させ、カードを本発明の遊技媒体交換機に読み取らせて投入遊技媒体の計数に代える事ができる。
【００３４】
そして本発明の遊技媒体交換機にカード書き込み手段を備えれば、払い出し遊技媒体の情報をカードに記録し、それを外部の遊技媒体払い出し手段に読み取らせて遊技媒体の払い出しをする事ができる。あるいは余り遊技媒体の数量をカードに記録し貯蓄するように構成すれば、遊技客は余り遊技媒体を有効に活用する事ができる。
【００３５】
あるいは遊技場管理コンピュータに本発明の遊技媒体交換機の換算機能を備え、投入遊技媒体の計数手段は計数信号が遊技場管理コンピュータに接続された遊技場に既存の遊技媒体計数機を利用する事もできる。
【００３６】
【発明の効果】
以上説明してきたように、本発明の遊技媒体交換機にあっては前記構成を採用したため、遊技客は手間と時間を要せず、また遊技場の係員の手間を必要とせず異種の遊技媒体の交換を容易に実現する事ができ遊技客の便宜をはかり遊技場の係員の負担を減らす事ができる。
投入遊技媒体または払い出し遊技媒体のいずれかまたは両方の種類を限定すれば、遊技媒体選別手段、計数手段、貯蔵手段、払い出し手段を必要なもののみ備えれば良いから、本発明の遊技媒体交換機を小型化でき、面積の限られた設置場所たとえば遊技台と遊技台の間に設置する事も可能となり、遊技客は着席のまま遊技媒体の貸し出しを受ける事ができるから、さらに遊技客の便宜をはかる事ができる。
また適正な遊技媒体を選別する選別手段を備える事で、偽造遊技媒体や他遊技場の遊技媒体の混入を防ぐ事ができる。
外部の遊技媒体計数手段や遊技媒体払い出し手段を接続できる外部入力端子２６および外部出力端子２７を備える事で、従来より遊技場に設置されている遊技媒体計数機や遊技媒体貸出機を活用して遊技媒体交換手段を提供する事もできる。
【図面の簡単な説明】
【図１】本発明を用いた遊技媒体交換機の実施例の構成を示すブロック図である。
【符号の説明】
１  投入遊技媒体
２  遊技媒体投入口
３  遊技媒体選別手段
４  不適正遊技媒体経路
５  パチンコ玉計数手段
６  コインφ２５計数手段
７  コインφ３０計数手段
８  パチンコ玉貯蔵手段
９  コインφ２５貯蔵手段
１０  コインφ３０貯蔵手段
１１  パチンコ玉払い出し手段
１２  コインφ２５払い出し手段
１３  コインφ３０払い出し手段
１４  遊技媒体払い出し口
１５  払い出し遊技媒体
１６  レート設定手段
１７  算出手段
１８  表示部
１９  操作スイッチ群
２０  制御部
２１  電源部
２２  電源差し込みプラグ
２３  返却口
２４  返却遊技媒体
２５  電源線
２６  外部入力端子
２７  外部出力端子
２８  売上信号出力端子
２９  計数信号出力端子
【図１】
2004236866.tif 000003